(57)【特許請求の範囲】
【請求項１】
被検体を載せる天板、
前記天板に対向して配置されており、かつ前記天板に対して相対的に移動可能になっているＸ線管装置、
前記天板を挟んで前記Ｘ線管装置に対向して配置されており、かつ前記Ｘ線管装置とともに前記天板に対して相対的に移動可能になっているＸ線検出器、
前記Ｘ線検出器に対して冷却風を送るファンを有しており、かつ冷却風の向きを変更可能になっている空冷装置、及び
前記天板に対する前記Ｘ線検出器の位置に応じて前記空冷装置による冷却風の向きを制御する空冷制御部を備え
前記天板は、長手方向の第１の端部と第２の端部とを有しており、
前記空冷制御部は、前記Ｘ線検出器が前記第１の端部に位置するとき、前記空冷装置により前記第２の端部へ向けて冷却風を発生させ、前記Ｘ線検出器が前記第２の端部に位置するとき、前記空冷装置により前記第１の端部へ向けて冷却風を発生させるＸ線画像診断装置。
【請求項２】
前記空冷制御部は、前記Ｘ線検出器が前記第１の端部と前記第２の端部との間に位置するとき、前記空冷装置により、前記第１及び第２の端部のうちの前記Ｘ線検出器から遠い方へ向けて冷却風を発生させ、前記Ｘ線検出器が前記第１の端部と前記第２の端部との中心に位置するときは、前記空冷装置により、前記空冷装置により、前記第１及び第２の端部のいずれか一方へ向けて冷却風を発生させる請求項１に記載のＸ線画像診断装置。
【発明の詳細な説明】
【技術分野】
【０００１】
この発明は、Ｘ線画像診断装置に係り、特に、Ｘ線検出器の放熱技術に関するものである。
【背景技術】
【０００２】
一般に、Ｘ線画像診断装置では、Ｘ線管で発生したＸ線が被検体に照射され、被検体を透過したＸ線がＸ線検出器で検出され画像化される。また、Ｘ線検出器としてフラットパネル型Ｘ線検出器（以下ＦＰＤと呼ぶ）を用いる場合、動作の安定を確保するとともに画像出力の精度を確保するために、ＦＰＤ自身からの発熱などによるＦＰＤの温度上昇を防ぐ必要がある。
【０００３】
これに対して、従来の放射線検出器では、ＦＰＤ筺体に接して配置された配管に一定温度の水を循環させることにより、ＦＰＤ筺体内が一定の温度に保たれている（例えば、特許文献１参照）。
【先行技術文献】
【特許文献】
【０００４】
【特許文献１】特開２００２−２０２３７７号公報
【発明の概要】
【発明が解決しようとする課題】
【０００５】
しかし、水冷のためのユニットは決して小さくなく、その配置のためには大きなスペースを必要とする。
【０００６】
これに対して、単に空冷の方法を用いる場合、十分な放熱効果を持続的に得るためには、風量及び風圧が大きいファンを使用しつつ、排気を装置外へ排出する必要がある。しかし、この場合、ＦＰＤは被検者の載る天板のすぐ下に位置するため、排気が被検者又は被検者の周りに立つ医療従事者に当たり、不快感を与えたり、医療行為の妨げとなったりする恐れがある。
【０００７】
この発明は、上記のような課題を解決するためになされたものであり、空冷の方法でＸ線検出器を冷却しつつ、被検者及びその周囲の医療従事者に排気が当たるのを防止することができるＸ線画像診断装置を得ることを目的とする。
【課題を解決するための手段】
【０００８】
この発明に係るＸ線画像診断装置は、被検体を載せる天板、天板に対向して配置されており、かつ天板に対して相対的に移動可能になっているＸ線管装置、天板を挟んでＸ線管装置に対向して配置されており、かつＸ線管装置とともに天板に対して相対的に移動可能になっているＸ線検出器、Ｘ線検出器に対して冷却風を送るファンを有しており、かつ冷却風の向きを変更可能になっている空冷装置、及び天板に対するＸ線検出器の位置に応じて空冷装置による冷却風の向きを制御する空冷制御部を備えている。
【発明の効果】
【０００９】
この発明のＸ線画像診断装置は、空冷の方法でＸ線検出器を冷却しつつ、被検者及びその周囲の医療従事者に排気が当たるのを防止することができる。
【図面の簡単な説明】
【００１０】
【図１】この発明の実施の形態１によるＸ線画像診断装置を一部ブロックで示す構成図である。
【図２】図１の透視撮影台を示す側面図である。
【図３】図１の空冷装置、位置検出器、及び空冷制御部の関係を示すブロック図である。
【図４】図１の天板とＦＰＤとの位置関係の一例を示す説明図である。
【図５】図４のＦＰＤが天板の第２の端部に位置する例を示す説明図である。
【図６】図２の第１及び第２のファンの設置状態を示す側面図である。
【図７】図６の第１及び第２のファンを水平方向へずらして配置した例を示す平面図である。
【図８】図６の第１及び第２のファンの一方が作動するときに他方を倒す構成の例を示す側面図である。
【図９】図９はこの発明の実施の形態２によるＸ線画像診断装置の天板とＦＰＤの位置関係の一例を示す説明図である。
【図１０】図９の天板及びＦＰＤをＹ軸方向に沿って見た図である。
【図１１】実施の形態２のＸ線画像診断装置の要部を示すブロック図である。
【図１２】図１１の空冷制御部の動作を示すフローチャートである。
【図１３】この発明の実施の形態３によるＸ線画像診断装置の要部を示すブロック図である。
【図１４】この発明の実施の形態４によるＸ線画像診断装置の支柱、ＦＰＤ、及び天板の位置関係を示す平面図である。
【図１５】図１４の支柱及びＦＰＤが天板の中央に移動した状態を示す平面図である。
【発明を実施するための形態】
【００１１】
以下、この発明を実施するための形態について、図面を参照して説明する。
実施の形態１．
図１はこの発明の実施の形態１によるＸ線画像診断装置を一部ブロックで示す構成図、図２は図１の透視撮影台を示す側面図である。図において、撮影室の床上には、脚部１が固定されている。脚部１には、連結アーム２を介して支柱３が支持されている。支柱３には、Ｘ線管装置４と、Ｘ線検出器としてのＦＰＤ５とが支持されている。
【００１２】
Ｘ線管装置４は、被検体（図示せず）を載せる天板６に対向して配置されており、被検体にＸ線を照射する。ＦＰＤ５は、天板６を挟んでＸ線管装置４に対向して配置されており、被検体を透過したＸ線を検出する。
【００１３】
連結アーム２は、支柱３及び天板６を脚部１に対して回転及び移動可能に連結している。また、Ｘ線管装置４及びＦＰＤ５は、支柱３とともに天板６に対して相対的に移動可能になっている。
【００１４】
ＦＰＤ５は、天板６のすぐ下で、検出器支持台（図示せず）を介して支柱３に支持されている。検出器支持台には、ＦＰＤ５を冷却する空冷装置７が設けられている。空冷装置７は、ＦＰＤ５の下面（天板６とは反対側の面）に対して冷却風を送る複数のファン、ここでは第１及び第２のファン８ａ，８ｂを有している。
【００１５】
天板６の下側の周囲には、カバー９が設けられている。図１、２では、カバー９の一部を取り除いてカバー９内を示している。ＦＰＤ５と熱交換した冷却風は、カバー９の隙間、又はカバー９に設けられた通気口（図示せず）からカバー９外へ排出される。ＦＰＤ５と天板６との間には、天板６に対するＦＰＤ５の位置を検出する位置検出器１０が設けられている。
【００１６】
透視撮影台１１は、脚部１、連結アーム２、支柱３、Ｘ線管装置４、ＦＰＤ５、天板６、空冷装置７、カバー９、及び位置検出器１０を有している。
【００１７】
透視撮影台１１には、Ｘ線高電圧発生装置１２及び操作卓１３が接続されている。Ｘ線高電圧発生装置１２は、Ｘ線管装置４に対して電力を供給する。操作卓１３には、Ｘ線画像処理ユニット１４及び空冷制御部１５を含む制御装置が設けられている。制御装置は、１つ又は複数のコンピュータを有している。空冷制御部１５は、ファン動作設定記憶部１６及びファン動作制御部１７を有している。
【００１８】
図３は図１の空冷装置７、位置検出器１０、及び空冷制御部１５の関係を示すブロック図である。Ｘ線画像処理ユニット１４は、ＦＰＤ５により検出されたＸ線信号を用いて画像処理を行う。操作卓１３には、Ｘ線画像処理ユニット１４により得られたＸ線画像を表示する表示装置（図示せず）が設けられている。
【００１９】
ファン動作設定記憶部１６は、天板６に対するＦＰＤ５の位置に対してどのファン８ａ，８ｂをどのように駆動するかという情報（駆動方法情報）を、例えばテーブルとして記憶している。ファン動作制御部１７は、位置検出器１０からの情報とファン動作設定記憶部１６に記憶された情報とに基づいて、ファン８ａ，８ｂに指令信号（作動又は停止）を出力する。
【００２０】
天板６の周りには、天板６上の被検体に対して医療行為を行う医療従事者が立つことが多い。医療従事者が天板６の周りのどの位置に立つかは、天板６に対するＦＰＤ５の位置から予測できる。このため、ファン動作設定記憶部１６には、人の存在が予測される方向への排気が行われないように、ＦＰＤ５の位置と空冷装置７による送風方向とが関連付けて予め記憶されている。
【００２１】
天板６の下側の部分はカバー９で覆われているため、熱交換した冷却風は、本来カバー９外へ排気するのが望ましい。しかし、この実施の形態１では、周りに人の存在が予測される場合、前述の理由からカバー９外への排気をせず、カバー９内へ排気するように設定されている。
【００２２】
図４は図１の天板６とＦＰＤ５との位置関係の一例を示す説明図であり、天板６を水平にしたときに真上から見た位置関係を示している。天板６の平面形状は長方形であり、天板６は、長手方向（天板６上の被検体の体軸方向：図のＹ軸方向）の第１の端部６ａと第２の端部６ｂとを有している。
【００２３】
図４に示すように、ＦＰＤ５が天板６の第１の端部６ａ又はその近傍に位置する場合、医療従事者も第１の端部６ａの周りに位置する可能性がある。この場合、冷却風を第２の端部６ｂへ向けて流せば、第１の端部６ａの周りの人に冷却風が当たることはない。
【００２４】
このため、ファン動作設定記憶部１６には、第１の端部６ａに対応する冷却風の向きとして図４の右方向が記憶されている。これにより、ファン動作制御部１７は、ＦＰＤ５が第１の端部６ａ又はその近傍に位置するとき、空冷装置７により第２の端部６ｂへ向けて冷却風を発生させる。
【００２５】
これとは逆に、図５に示すように、ＦＰＤ５が天板６の第２の端部６ｂ又はその近傍に位置するとき、ファン動作制御部１７は、空冷装置７により第１の端部６ａへ向けて冷却風を発生させる。
【００２６】
また、ファン動作制御部１７は、ＦＰＤ５が第１の端部６ａと第２の端部６ｂとの間に位置するとき、空冷装置７により、第１及び第２の端部６ａ，６ｂのうちのＦＰＤ５から遠い方へ向けて冷却風を発生させる。
【００２７】
さらに、ＦＰＤ５が天板６の長手方向の中心に位置するときには、ファン動作制御部１７は、空冷装置７により第１及び第２の端部６ａ，６ｂのいずれか一方へ向けて冷却風を発生させる。この場合、例えば直前の風向きと同じ風向きを選択すればよい。
【００２８】
図６は図２の第１及び第２のファン８ａ，８ｂの設置状態を示す側面図である。ファン８ａ，８ｂは、ＦＰＤ５が収容されたケース２１の互いに対向する側面にそれぞれ配置されている。また、ファン８ａ，８ｂは、天板６の長手方向に沿って冷却風が発生するように配置されている。
【００２９】
送風方向の切替方法としては、例えば、ファン８ａ，８ｂとして正逆転換可能なファンを使用する方法が挙げられる。この場合、ファン８ａ，８ｂのいずれか一方のみを配置してもよい。
【００３０】
他の方法として、例えば、ファン８ａ，８ｂをそれらの送風方向が逆になるように配置し、ファン８ａ，８ｂのいずれか一方を選択して作動させる方法も挙げられる。この場合、ファン８ａ，８ｂの送風進路に対極のファン８ｂ，８ａがあると送風の妨げとなることがある。このため、例えば図７に示すように、互いの送風進路が干渉しないようにファン８ａ，８ｂを水平方向へずらして配置する構成とするのが好適である。また、図８に示すように、ファン８ａ，８ｂの一方が作動するときに他方を倒したり、ファン８ａ，８ｂの一方が作動するときには他方を横へずらしたりする構成とするのも好適である。
【００３１】
このようなＸ線画像診断装置では、空冷装置７による冷却風の向きが変更可能になっており、天板６に対するＦＰＤ５の位置に応じて空冷制御部１５が空冷装置７による冷却風の向きを制御するので、大きなスペースを割くことなく、空冷の方法でＦＰＤ５を冷却しつつ、被検者及びその周囲の医療従事者に排気が当たるのを防止することができる。これにより、ＦＰＤ５の放熱を効率良く促すことができる。
【００３２】
また、空冷制御部１５は、ＦＰＤ５が第１の端部６ａに位置するとき、空冷装置７により第２の端部６ｂへ向けて冷却風を発生させ、ＦＰＤ５が第２の端部６ｂに位置するとき、空冷装置７により第１の端部６ａへ向けて冷却風を発生させるので、ＦＰＤ５が第１の端部６ａ又は第２の端部６ｂに位置するときに、周囲の人に排気が当たるのをより確実に防止することができる。
【００３３】
さらに、空冷制御部１５は、ＦＰＤ５が第１の端部６ａと第２の端部６ｂとの間に位置するとき、空冷装置７により、第１及び第２の端部６ａ，６ｂのうちのＦＰＤ５から遠い方へ向けて冷却風を発生させるので、ＦＰＤ５が第１の端部６ａと第２の端部６ｂとの間に位置するときにも、周囲の人に排気が当たるのをより確実に防止することができる。
【００３４】
さらにまた、天板６の幅方向（図４の上下方向：図のＸ軸方向）の両側に人がいるかどうかを検出するセンサを用いることなく、簡単な構成により、天板６の幅方向のいずれか一方に人がいた場合でも、排気が人に当たるのを防止することができる。
【００３５】
なお、実施の形態１では、天板６に対するＦＰＤ５の位置を位置検出器１０により検出したが、他の制御信号又は指令信号から天板６に対するＦＰＤ５の位置を求めてもよい。
また、天板６に対するＦＰＤ５の移動に対して機械的に連動させて冷却風の向きを変更するようにしてもよい。
【００３６】
実施の形態２．
次に、図９はこの発明の実施の形態２によるＸ線画像診断装置の天板６とＦＰＤ５との位置関係の一例を示す説明図であり、天板６を水平にしたときに真上から見た位置関係を示している。また、図１０は図９の天板６及びＦＰＤ５をＹ軸方向に沿って見た図であり、カバー９の一部を取り除いてカバー９内を示している。
【００３７】
実施の形態２では、ＦＰＤ５の周囲の人の有無を検出する人感知装置１８がケース２１に設けられている。人感知装置１８は、ＦＰＤ５とともに天板６に対して相対的に移動可能になっている。また、人感知装置１８は、天板６の幅方向のＦＰＤ５の両側と天板６の長手方向のＦＰＤ５の両側とにそれぞれ配置された第１ないし第４の人感知センサ１９ａ〜１９ｄを有している。
【００３８】
第１の人感知センサ１９ａは、天板６の幅方向についてＦＰＤ５の一側の所定の範囲内に人がいるかどうかを検出する。第２の人感知センサ１９ｂは、天板６の幅方向についてＦＰＤ５の他側の所定の範囲内に人がいるかどうかを検出する。第３の人感知センサ１９ｃは、天板６の長手方向についてＦＰＤ５の一側の所定の範囲内に人がいるかどうかを検出する。第４の人感知センサ１９ｄは、天板６の長手方向についてＦＰＤ５の他側の所定の範囲内に人がいるかどうかを検出する。
【００３９】
また、実施の形態２の空冷装置７は、第１及び第２のファン８ａ，８ｂに加えて、第３及び第４のファン８ｃ，８ｄを有している。第３及び第４のファン８ｃ，８ｄは、図１０に示すように、ケース２１の互いに対向する側面にそれぞれ配置されている。
【００４０】
また、ファン８ｃ，８ｄは、天板６の幅方向に沿って冷却風を発生するように配置されている。即ち、第１及び第２のファン８ａ，８ｂによる送風方向と、第３及び第４のファン８ｃ，８ｄによる送風方向とは、互いに直交している。そして、実施の形態２の空冷装置７は、天板６の幅方向両側及び天板６の長手方向両側へ冷却風の向きを変更可能になっている。
【００４１】
図１１は実施の形態２のＸ線画像診断装置の要部を示すブロック図である。実施の形態２の空冷制御部１５は、人感知装置１８からの情報に応じて空冷装置７による冷却風の向きを制御する。具体的には、空冷制御部１５は、人感知装置１８により人が検出された方向を避けるように冷却風の向きを選択する。
【００４２】
図１２は図１１の空冷制御部１５の動作を示すフローチャートである。例えば、図９のようにＦＰＤ５が天板６の第１の端部６ａの近傍に位置する場合、空冷制御部１５は、人感知装置１８からの情報により、カバー９外に人のいない方向があるかどうかを確認する（ステップＳ１）。
【００４３】
ここで言うカバー９外とは、人感知センサ１９ａ〜１９ｄにより人の有無を検出可能な範囲内でのカバー９の外部であり、ＦＰＤ５の位置によらず天板６の幅方向の両側はカバー９外である。また、天板６の長手方向両側は、ＦＰＤ５が第１又は第２の端部６ａ，６ｂから所定の範囲内に位置するときのみ、カバー９外である。
【００４４】
空冷制御部１５は、カバー９外に人のいない方向があれば、人のいない方向のカバー９外へ排気するように、冷却風の向きを選択する（ステップＳ２）。例えば、図９では、天板６の幅方向の一側に人がいないため、空冷制御部１５は、図９の下方向（−Ｘ方向）を冷却風の向きとして選択する。
【００４５】
また、空冷制御部１５は、カバー９外に人のいない方向がなければ、カバー９内へ排気するように、冷却風の向きを選択する（ステップＳ３）。例えば、ＦＰＤ５が図９の位置にあるとき、天板６の幅方向両側と第１の端部６ａの外側とにそれぞれ人がいる場合、空冷制御部１５は、図９の右方向（＋Ｙ方向）を冷却風の向きとして選択する。
【００４６】
さらに、空冷制御部１５は、人感知装置１８により人が検出された方向を避けつつ、ＦＰＤ５から天板６の縁部までの距離がより短い方向を、冷却風の向きとして選択する。他の構成は、実施の形態１と同様である。
【００４７】
このようなＸ線画像診断装置では、空冷装置７による冷却風の向きが変更可能になっており、人感知装置１８からの情報に応じて空冷制御部１５が空冷装置７による冷却風の向きを制御するので、大きなスペースを割くことなく、空冷の方法でＦＰＤ５を冷却しつつ、被検者及びその周囲の医療従事者に排気が当たるのを防止することができる。これにより、ＦＰＤ５の放熱を効率良く促すことができる。
【００４８】
また、事前の設定の際の予測と異なる人の配置だった場合でも、より確実に人がいる方向を避けて排気方向を決定することができる。
【００４９】
さらに、空冷装置７は、天板６の幅方向両側及び天板６の長手方向両側へ冷却風の向きを変更可能になっており、空冷制御部１５は、人感知装置１８により人が検出された方向を避けるように冷却風の向きを選択するので、簡単な構成により、排気が人に当たるのを防止することができる。
【００５０】
さらにまた、空冷制御部１５は、人感知装置１８により人が検出された方向を避けつつ、ＦＰＤ５から天板６の縁部までの距離がより短い方向を、冷却風の向きとして選択するので、ＦＰＤ５により加熱された空気を天板６の下から、より速やかに排出することができる。
【００５１】
なお、実施の形態２では、人感知装置１８からの情報と位置検出器１０からの情報とを組み合わせて用いたが、位置検出器１０を用いず、人感知装置１８からの情報のみにより冷却風の向きを決定してもよい。
また、実施の形態２では、冷却風の向きを４方向へ切替可能としたが、２方向、３方向又は５方向以上の方向へ切替可能としてもよい。
さらに、人感知センサの個数及び検出方向も、４個、４方向に限定されない。
さらにまた、実施の形態２では、人感知センサ１９ａ〜１９ｄがＦＰＤ５とともに移動するが、天板６の周囲に人がいるかどうかを検出する複数の人感知センサを天板６に設け、位置検出器１０から情報と、天板６に設けた人感知センサからの情報とにより、ＦＰＤ５の周囲の人の有無を検出してもよい。
【００５２】
実施の形態３．
次に、図１３はこの発明の実施の形態３によるＸ線画像診断装置の要部を示すブロック図である。実施の形態３では、例えばカバー９の前面に切替スイッチ装置２０が設けられている。切替スイッチ装置２０は、天板６の周囲にいる医療従事者等の操作者によって操作される。切替スイッチ装置２０には、空冷装置７による冷却風の向きを切り替えるための複数のスイッチが設けられている。
【００５３】
スイッチ自体又はスイッチ近傍には、冷却風の向きを示す風向き表示（例えば矢印等のマーク）が付されている。操作者は、風向き表示を見て所望の冷却風の向きに対応するスイッチを操作することができる。ファン動作制御部１７は、切替スイッチ装置２０からの指令に応じて、空冷装置７による冷却風の向きを制御する。他の構成は、実施の形態１と同様である。
【００５４】
このようなＸ線画像診断装置では、空冷装置７による冷却風の向きが変更可能になっており、切替スイッチ装置２０からの指令に応じて空冷制御部１５が空冷装置７による冷却風の向きを制御するので、大きなスペースを割くことなく、空冷の方法でＦＰＤ５を冷却しつつ、被検者及びその周囲の医療従事者に排気が当たるのを防止することができる。これにより、ＦＰＤ５の放熱を効率良く促すことができる。
【００５５】
なお、切替スイッチ装置２０を操作卓１３に追加してもよい。
また、実施の形態３では、切替スイッチ装置２０からの指令のみによって冷却風の向きを切り替えたが、例えば実施の形態１又は２の構成に切替スイッチ装置２０を追加し、ファン動作制御部１７により選択された冷却風の向きを、切替スイッチ装置２０からの入力により変更するようにしてもよい。
【００５６】
この場合、切替スイッチ装置２０からの指令は、位置検出器１０からの情報及び人感知装置１８からの情報の上位に位置することになり、実際の人の配置が設定時の想定と違う場合に、切替スイッチ装置２０により手動で送風方向を変更することができる。即ち、予め設定された冷却風の向きを、その場の状況で任意に変えることができる。
【００５７】
実施の形態４．
次に、図１４はこの発明の実施の形態４によるＸ線画像診断装置の支柱３、ＦＰＤ５、及び天板６の位置関係を示す平面図、図１５は図１４の支柱３及びＦＰＤ５が天板６の中央に移動した状態を示す平面図である。
【００５８】
実施の形態４では、ＦＰＤ５に対する支柱３の位置が、天板６に対するＦＰＤ５の位置によらず同じである。即ち、支柱３とＦＰＤ５とは、ＦＰＤ５の位置によらず天板６の長手方向の同じ位置に並んでいる。そして、空冷装置７による冷却風の向きは、ＦＰＤ５を経て支柱３に直進する向きに固定されている。冷却風は、支柱３に当たりつつ装置外へ排出される。他の構成は、実施の形態１と同様である。
【００５９】
このようなＸ線画像診断装置では、冷却風の向きを、人が立つことのできない支柱３の位置に直進する方向に固定しているので、大きなスペースを割くことなく、空冷の方法でＦＰＤ５を冷却しつつ、被検者及びその周囲の医療従事者に排気が当たるのを防止することができる。これにより、ＦＰＤ５の放熱を効率良く促すことができる。
【００６０】
なお、実施の形態４では、支柱３とＦＰＤ５とが天板６の長手方向の同じ位置に並んでいるが、支柱３とＦＰＤ５とが天板６の長手方向の異なる位置にオフセットして配置している場合にも、この発明は適用できる。
また、実施の形態４では冷却風の向きを固定したが、ＦＰＤ５の位置によってＦＰＤ５に対する支柱３の位置が移動する場合には、冷却風がＦＰＤ５を経て支柱３に直進するように、ＦＰＤ５の位置によって冷却風の向きを連続的に変化させてもよい。
さらに、実施の形態４に実施の形態３の切替スイッチ装置２０を追加してもよい。即ち、基本的には冷却風の向きを固定しているが、必要な場合には切替スイッチ装置２０を操作して冷却風の向きを変更できるようにしてもよい。
【００６１】
さらにまた、実施の形態１〜４では、Ｘ線検出器としてＦＰＤを示したが、空冷装置による冷却を必要とするものであれば必ずしもＦＰＤに限定されるものではない。
また、実施の形態１〜４では、被検体を透視して動画像からなるＸ線画像を生成するとともに、被検体を撮影して静止画像からなるＸ線画像を生成する汎用Ｘ線透視撮影装置を示したが、この発明は他のタイプのＸ線画像診断装置にも適用できる。
【符号の説明】
【００６２】
３  支柱、４  Ｘ線管装置、５  ＦＰＤ（Ｘ線検出器）、６  天板、６ａ  第１の端部、６ｂ  端部、７空冷装置、８ａ  第１のファン、８ｂ  第２のファン、８ｃ  第３のファン、８ｄ  第４のファン、１０  位置検出器、１５  空冷制御部、１８  人感知装置、２０  切替スイッチ装置。
【図１】
0006385843.tif 000002
【図２】
0006385843.tif 000003
【図３】
0006385843.tif 000004
【図４】
0006385843.tif 000005
【図５】
0006385843.tif 000006
【図６】
0006385843.tif 000007
【図７】
0006385843.tif 000008
【図８】
0006385843.tif 000009
【図９】
0006385843.tif 000010
【図１０】
0006385843.tif 000011
【図１１】
0006385843.tif 000012
【図１２】
0006385843.tif 000013
【図１３】
0006385843.tif 000014
【図１４】
0006385843.tif 000015
【図１５】
0006385843.tif 000016